(57)【特許請求の範囲】
【請求項１】
渋滞情報を取得する渋滞情報取得部と、
車両の現在地から目的地に至る誘導経路の案内中、前記渋滞情報取得部により取得された渋滞情報に基づいて、当該現在地より前方に存在する複数の道路区間の渋滞状況を前記現在地から近い順に配置した渋滞ガイド図画像を地図画像と共に表示するように制御する表示制御部と、
前記表示制御部により前記地図画像および前記渋滞ガイド図画像が表示されているときにタッチパネルに対するユーザのなぞり操作を受け付ける操作受付部と、
前記操作受付部により受け付けられた前記なぞり操作に基づいて、探索条件を変更して設定する対象の道路区間を対象道路区間として決定するとともに、当該決定した対象道路区間における探索条件を設定する探索条件設定部と、
前記探索条件設定部により設定された探索条件に従って前記対象道路区間の探索条件を変更したうえで、前記現在地から前記目的地に至る第２の誘導経路の探索を行う誘導経路探索部とを備え、
前記渋滞ガイド図画像上に表示する複数の道路区間は、前記誘導経路に含まれる高速道路上の複数のインターチェンジ間の道路区間であり、
前記探索条件設定部は、前記複数のインターチェンジのうち、前記操作受付部により受け付けられた前記なぞり操作の始点および終点によって２つのインターチェンジが指定された場合、当該指定された２つのインターチェンジ間の道路区間を前記対象道路区間として決定するとともに、当該決定した対象道路区間における探索条件を一般道路優先に設定し、
前記誘導経路探索部は、前記探索条件設定部により設定された探索条件に従って前記対象道路区間の探索条件を高速道路優先から一般道路優先に変更したうえで、前記現在地から前記目的地に至る第２の誘導経路の探索を行うことを特徴とするナビゲーション装置。
【請求項２】
渋滞情報を取得する渋滞情報取得部と、
車両の現在地から目的地に至る誘導経路の案内中、前記渋滞情報取得部により取得された渋滞情報に基づいて、当該現在地より前方に存在する複数の道路区間の渋滞状況を前記現在地から近い順に配置した渋滞ガイド図画像を地図画像と共に表示するように制御する表示制御部と、
前記表示制御部により前記地図画像および前記渋滞ガイド図画像が表示されているときにタッチパネルに対するユーザのなぞり操作を受け付ける操作受付部と、
前記操作受付部により受け付けられた前記なぞり操作に基づいて、探索条件を変更して設定する対象の道路区間を対象道路区間として決定するとともに、当該決定した対象道路区間における探索条件を設定する探索条件設定部と、
前記探索条件設定部により設定された探索条件に従って前記対象道路区間の探索条件を変更したうえで、前記現在地から前記目的地に至る第２の誘導経路の探索を行う誘導経路探索部とを備え、
前記渋滞ガイド図画像上に表示する複数の道路区間は、前記誘導経路に含まれる高速道路上の複数のインターチェンジ間の道路区間であり、
前記探索条件設定部は、前記複数のインターチェンジのうち、前記操作受付部により受け付けられた前記なぞり操作の始点によって１つのインターチェンジが指定された場合、当該指定されたインターチェンジから前記目的地までの道路区間を前記対象道路区間として決定するとともに、当該決定した対象道路区間における探索条件を一般道路優先に設定し、
前記誘導経路探索部は、前記探索条件設定部により設定された探索条件に従って前記対象道路区間の探索条件を高速道路優先から一般道路優先に変更したうえで、前記現在地から前記目的地に至る第２の誘導経路の探索を行うことを特徴とするナビゲーション装置。
【請求項３】
渋滞情報を取得する渋滞情報取得部と、
車両の現在地から目的地に至る誘導経路の案内中、前記渋滞情報取得部により取得された渋滞情報に基づいて、当該現在地より前方に存在する複数の道路区間の渋滞状況を前記現在地から近い順に配置した渋滞ガイド図画像を地図画像と共に表示するように制御する表示制御部と、
前記表示制御部により前記地図画像および前記渋滞ガイド図画像が表示されているときにタッチパネルに対するユーザのなぞり操作を受け付ける操作受付部と、
前記操作受付部により受け付けられた前記なぞり操作に基づいて、探索条件を変更して設定する対象の道路区間を対象道路区間として決定するとともに、当該決定した対象道路区間における探索条件を設定する探索条件設定部と、
前記探索条件設定部により設定された探索条件に従って前記対象道路区間の探索条件を変更したうえで、前記現在地から前記目的地に至る第２の誘導経路の探索を行う誘導経路探索部とを備え、
前記渋滞ガイド図画像上に表示する複数の道路区間は、前記誘導経路に含まれない高速道路上の複数のインターチェンジ間の道路区間であり、
前記探索条件設定部は、前記複数のインターチェンジのうち、前記操作受付部により受け付けられた前記なぞり操作の終点によって１つのインターチェンジが指定された場合、当該指定されたインターチェンジから前記目的地までの道路区間を前記対象道路区間として決定するとともに、当該決定した対象道路区間における探索条件を高速道路優先に設定し、
前記誘導経路探索部は、前記探索条件設定部により設定された探索条件に従って前記対象道路区間の探索条件を一般道路優先から高速道路優先に変更したうえで、前記現在地から前記目的地に至る第２の誘導経路の探索を行うことを特徴とするナビゲーション装置。
【請求項４】
渋滞情報を取得する渋滞情報取得部と、
車両の現在地から目的地に至る誘導経路の案内中、前記渋滞情報取得部により取得された渋滞情報に基づいて、当該現在地より前方に存在する複数の道路区間の渋滞状況を前記現在地から近い順に配置した渋滞ガイド図画像を地図画像と共に表示するように制御する表示制御部と、
前記表示制御部により前記地図画像および前記渋滞ガイド図画像が表示されているときにタッチパネルに対するユーザのなぞり操作を受け付ける操作受付部と、
前記操作受付部により受け付けられた前記なぞり操作に基づいて、探索条件を変更して設定する対象の道路区間を対象道路区間として決定するとともに、当該決定した対象道路区間における探索条件を設定する探索条件設定部と、
前記探索条件設定部により設定された探索条件に従って前記対象道路区間の探索条件を変更したうえで、前記現在地から前記目的地に至る第２の誘導経路の探索を行う誘導経路探索部とを備え、
前記渋滞ガイド図画像上に表示する複数の道路区間は、前記誘導経路に含まれない高速道路上の複数のインターチェンジ間の道路区間であり、
前記探索条件設定部は、前記複数のインターチェンジのうち、前記操作受付部により受け付けられた前記なぞり操作の始点および終点の間における中間点によって２つのインターチェンジが指定された場合、当該指定された２つのインターチェンジ間の道路区間を前記対象道路区間として決定するとともに、当該対象道路区間における探索条件を高速道路優先に設定し、
前記誘導経路探索部は、前記探索条件設定部により設定された探索条件に従って前記対象道路区間の探索条件を一般道路優先から高速道路優先に変更したうえで、前記現在地から前記目的地に至る第２の誘導経路の探索を行うことを特徴とするナビゲーション装置。
【請求項５】
渋滞情報を取得する渋滞情報取得部と、
車両の現在地から目的地に至る誘導経路の案内中、前記渋滞情報取得部により取得された渋滞情報に基づいて、当該現在地より前方に存在する複数の道路区間の渋滞状況を前記現在地から近い順に配置した渋滞ガイド図画像を地図画像と共に表示するように制御する表示制御部と、
前記表示制御部により前記地図画像および前記渋滞ガイド図画像が表示されているときにタッチパネルに対するユーザのなぞり操作を受け付ける操作受付部と、
前記操作受付部により受け付けられた前記なぞり操作に基づいて、探索条件を変更して設定する対象の道路区間を対象道路区間として決定するとともに、当該決定した対象道路区間における探索条件を設定する探索条件設定部と、
前記探索条件設定部により設定された探索条件に従って前記対象道路区間の探索条件を変更したうえで、前記現在地から前記目的地に至る第２の誘導経路の探索を行う誘導経路探索部とを備え、
前記表示制御部は、前記渋滞情報取得部により取得された渋滞情報に基づいて、前記渋滞ガイド図画像上に表示する複数の道路区間のうち渋滞区間内に位置する道路区間を当該渋滞区間外に位置する道路区間に比べて短く表示するように制御することを特徴とするナビゲーション装置。
【請求項６】
ナビゲーション装置の渋滞情報取得部が、渋滞情報を取得する第１のステップと、
前記ナビゲーション装置の表示制御部が、車両の現在地から目的地に至る誘導経路の案内中、前記第１のステップにより取得された前記渋滞情報に基づいて、当該現在地より前方に存在する複数の道路区間の渋滞状況を前記現在地から近い順に配置した渋滞ガイド図画像を地図画像と共に表示するように制御する第２のステップと、
前記ナビゲーション装置の操作受付部が、前記第２のステップにより前記地図画像および前記渋滞ガイド図画像が表示されているときにタッチパネルに対するユーザのなぞり操作を受け付ける第３のステップと、
前記ナビゲーション装置の探索条件設定部が、前記第３のステップにより受け付けられた前記なぞり操作に基づいて、探索条件を変更して設定する対象の道路区間を対象道路区間として決定するとともに、当該決定した対象道路区間における探索条件を設定する第４のステップと、
前記ナビゲーション装置の誘導経路探索部が、前記第４のステップにより設定された探索条件に従って前記対象道路区間の探索条件を変更したうえで、前記現在地から前記目的地に至る第２の誘導経路の探索を行う第５のステップとを有し、
前記渋滞ガイド図画像上に表示する複数の道路区間は、前記誘導経路に含まれる高速道路上の複数のインターチェンジ間の道路区間であり、
前記第４のステップでは、前記探索条件設定部が、前記複数のインターチェンジのうち、前記操作受付部により受け付けられた前記なぞり操作の始点および終点によって２つのインターチェンジが指定された場合、当該指定された２つのインターチェンジ間の道路区間を前記対象道路区間として決定するとともに、当該決定した対象道路区間における探索条件を一般道路優先に設定し、
前記第５のステップでは、前記誘導経路探索部が、前記探索条件設定部により設定された探索条件に従って前記対象道路区間の探索条件を高速道路優先から一般道路優先に変更したうえで、前記現在地から前記目的地に至る第２の誘導経路の探索を行うことを特徴とする誘導経路探索方法。
【請求項７】
ナビゲーション装置の渋滞情報取得部が、渋滞情報を取得する第１のステップと、
前記ナビゲーション装置の表示制御部が、車両の現在地から目的地に至る誘導経路の案内中、前記第１のステップにより取得された前記渋滞情報に基づいて、当該現在地より前方に存在する複数の道路区間の渋滞状況を前記現在地から近い順に配置した渋滞ガイド図画像を地図画像と共に表示するように制御する第２のステップと、
前記ナビゲーション装置の操作受付部が、前記第２のステップにより前記地図画像および前記渋滞ガイド図画像が表示されているときにタッチパネルに対するユーザのなぞり操作を受け付ける第３のステップと、
前記ナビゲーション装置の探索条件設定部が、前記第３のステップにより受け付けられた前記なぞり操作に基づいて、探索条件を変更して設定する対象の道路区間を対象道路区間として決定するとともに、当該決定した対象道路区間における探索条件を設定する第４のステップと、
前記ナビゲーション装置の誘導経路探索部が、前記第４のステップにより設定された探索条件に従って前記対象道路区間の探索条件を変更したうえで、前記現在地から前記目的地に至る第２の誘導経路の探索を行う第５のステップとを有し、
前記渋滞ガイド図画像上に表示する複数の道路区間は、前記誘導経路に含まれる高速道路上の複数のインターチェンジ間の道路区間であり、
前記第４のステップでは、前記探索条件設定部が、前記複数のインターチェンジのうち、前記操作受付部により受け付けられた前記なぞり操作の始点によって１つのインターチェンジが指定された場合、当該指定されたインターチェンジから前記目的地までの道路区間を前記対象道路区間として決定するとともに、当該決定した対象道路区間における探索条件を一般道路優先に設定し、
前記第５のステップでは、前記誘導経路探索部が、前記探索条件設定部により設定された探索条件に従って前記対象道路区間の探索条件を高速道路優先から一般道路優先に変更したうえで、前記現在地から前記目的地に至る第２の誘導経路の探索を行うことを特徴とする誘導経路探索方法。
【請求項８】
ナビゲーション装置の渋滞情報取得部が、渋滞情報を取得する第１のステップと、
前記ナビゲーション装置の表示制御部が、車両の現在地から目的地に至る誘導経路の案内中、前記第１のステップにより取得された前記渋滞情報に基づいて、当該現在地より前方に存在する複数の道路区間の渋滞状況を前記現在地から近い順に配置した渋滞ガイド図画像を地図画像と共に表示するように制御する第２のステップと、
前記ナビゲーション装置の操作受付部が、前記第２のステップにより前記地図画像および前記渋滞ガイド図画像が表示されているときにタッチパネルに対するユーザのなぞり操作を受け付ける第３のステップと、
前記ナビゲーション装置の探索条件設定部が、前記第３のステップにより受け付けられた前記なぞり操作に基づいて、探索条件を変更して設定する対象の道路区間を対象道路区間として決定するとともに、当該決定した対象道路区間における探索条件を設定する第４のステップと、
前記ナビゲーション装置の誘導経路探索部が、前記第４のステップにより設定された探索条件に従って前記対象道路区間の探索条件を変更したうえで、前記現在地から前記目的地に至る第２の誘導経路の探索を行う第５のステップとを有し、
前記渋滞ガイド図画像上に表示する複数の道路区間は、前記誘導経路に含まれない高速道路上の複数のインターチェンジ間の道路区間であり、
前記第４のステップでは、前記探索条件設定部が、前記複数のインターチェンジのうち、前記操作受付部により受け付けられた前記なぞり操作の終点によって１つのインターチェンジが指定された場合、当該指定されたインターチェンジから前記目的地までの道路区間を前記対象道路区間として決定するとともに、当該決定した対象道路区間における探索条件を高速道路優先に設定し、
前記第５のステップでは、前記誘導経路探索部が、前記探索条件設定部により設定された探索条件に従って前記対象道路区間の探索条件を一般道路優先から高速道路優先に変更したうえで、前記現在地から前記目的地に至る第２の誘導経路の探索を行うことを特徴とする誘導経路探索方法。
【請求項９】
ナビゲーション装置の渋滞情報取得部が、渋滞情報を取得する第１のステップと、
前記ナビゲーション装置の表示制御部が、車両の現在地から目的地に至る誘導経路の案内中、前記第１のステップにより取得された前記渋滞情報に基づいて、当該現在地より前方に存在する複数の道路区間の渋滞状況を前記現在地から近い順に配置した渋滞ガイド図画像を地図画像と共に表示するように制御する第２のステップと、
前記ナビゲーション装置の操作受付部が、前記第２のステップにより前記地図画像および前記渋滞ガイド図画像が表示されているときにタッチパネルに対するユーザのなぞり操作を受け付ける第３のステップと、
前記ナビゲーション装置の探索条件設定部が、前記第３のステップにより受け付けられた前記なぞり操作に基づいて、探索条件を変更して設定する対象の道路区間を対象道路区間として決定するとともに、当該決定した対象道路区間における探索条件を設定する第４のステップと、
前記ナビゲーション装置の誘導経路探索部が、前記第４のステップにより設定された探索条件に従って前記対象道路区間の探索条件を変更したうえで、前記現在地から前記目的地に至る第２の誘導経路の探索を行う第５のステップとを有し、
前記渋滞ガイド図画像上に表示する複数の道路区間は、前記誘導経路に含まれない高速道路上の複数のインターチェンジ間の道路区間であり、
前記第４のステップでは、前記探索条件設定部が、前記複数のインターチェンジのうち、前記操作受付部により受け付けられた前記なぞり操作の始点および終点の間における中間点によって２つのインターチェンジが指定された場合、当該指定された２つのインターチェンジ間の道路区間を前記対象道路区間として決定するとともに、当該対象道路区間における探索条件を高速道路優先に設定し、
前記第５のステップでは、前記誘導経路探索部が、前記探索条件設定部により設定された探索条件に従って前記対象道路区間の探索条件を一般道路優先から高速道路優先に変更したうえで、前記現在地から前記目的地に至る第２の誘導経路の探索を行うことを特徴とする誘導経路探索方法。
【請求項１０】
ナビゲーション装置の渋滞情報取得部が、渋滞情報を取得する第１のステップと、
前記ナビゲーション装置の表示制御部が、車両の現在地から目的地に至る誘導経路の案内中、前記第１のステップにより取得された前記渋滞情報に基づいて、当該現在地より前方に存在する複数の道路区間の渋滞状況を前記現在地から近い順に配置した渋滞ガイド図画像を地図画像と共に表示するように制御する第２のステップと、
前記ナビゲーション装置の操作受付部が、前記第２のステップにより前記地図画像および前記渋滞ガイド図画像が表示されているときにタッチパネルに対するユーザのなぞり操作を受け付ける第３のステップと、
前記ナビゲーション装置の探索条件設定部が、前記第３のステップにより受け付けられた前記なぞり操作に基づいて、探索条件を変更して設定する対象の道路区間を対象道路区間として決定するとともに、当該決定した対象道路区間における探索条件を設定する第４のステップと、
前記ナビゲーション装置の誘導経路探索部が、前記第４のステップにより設定された探索条件に従って前記対象道路区間の探索条件を変更したうえで、前記現在地から前記目的地に至る第２の誘導経路の探索を行う第５のステップとを有し、
前記第２のステップでは、前記表示制御部が、前記渋滞情報取得部により取得された渋滞情報に基づいて、前記渋滞ガイド図画像上に表示する複数の道路区間のうち渋滞区間内に位置する道路区間を当該渋滞区間外に位置する道路区間に比べて短く表示するように制御することを特徴とする誘導経路探索方法。
【発明の詳細な説明】
【技術分野】
【０００１】
本発明は、ナビゲーション装置および誘導経路探索方法に関し、例えば、目的地案内中の誘導経路を変更する機能を有するナビゲーション装置に用いて好適なものである。
【背景技術】
【０００２】
一般に、車載用のナビゲーション装置では、自律航法センサやＧＰＳ（Ｇｌｏｂａｌ  Ｐｏｓｉｔｉｏｎｉｎｇ  Ｓｙｓｔｅｍ）受信機などを用いて車両の現在位置を検出し、その近傍の地図データを記録媒体から読み出して画面上に表示する。そして、画面上の所定箇所に自車位置を示す自車位置マークを重ね合わせて表示することにより、車両の現在位置を一目で分かるようにしている。
【０００３】
また、ナビゲーション装置の殆どには、運転者が所望の目的地に向かって道路を間違うことなく容易に走行できるようにした経路誘導機能が搭載されている。この経路誘導機能では、地図データを用いて現在地から目的地までを結ぶ最もコストが小さな経路を自動探索し、その探索した経路を誘導経路として地図画面上で他の道路とは色を変えて太く描画する。また、車両が誘導経路上の案内交差点に一定距離内に近づいたときに交差点拡大図を表示して交差点案内を行うことにより、運転者を目的地まで案内するようになっている。
【０００４】
また、ナビゲーション装置の中には、目的地案内中に誘導経路の変更を行う誘導経路変更機能を備えているものもある。この種のナビゲーション装置では、例えば、誘導道路を走行中に、事故、工事、停止車両などに起因した突発的な渋滞が前方で発生したとき、誘導経路変更機能を使用することで、その渋滞を回避するための誘導経路に目的地案内中の誘導経路を変更することができる。
【０００５】
なお、ユーザが表示モニタに表示された道路地図上の道路をなぞることによって、当該ユーザが以前に指定した経路の一部を修正し、その修正した経路を新たな経路として設定する技術が開示されている（例えば、特許文献１を参照）。
【先行技術文献】
【特許文献】
【０００６】
【特許文献１】特開２００６−３２２７８１号公報
【発明の概要】
【発明が解決しようとする課題】
【０００７】
しかしながら、従来の誘導経路変更機能では、メニューボタン等を操作して表示画面に誘導経路の確認や編集を行うための誘導経路メニューを一旦表示させ、この誘導経路メニュー上で経由地の追加、消去などを行う操作や、経路探索条件を変更する操作をした後に、誘導経路を再探索するための操作をしなければならなかった。そのため、目的地案内中の誘導経路をユーザが意図する誘導経路に変更するための操作が非常に煩雑で面倒であるという問題があった。
【０００８】
また、特許文献１に記載の技術でも、以前に指定した経路のうち消去対象の道路を全てなぞり、更にその消去対象の道路に代わる道路を全てなぞる操作をしなければならなかった。そのため、経路の一部を修正するための操作が非常に煩雑で面倒であるという問題があった。
【０００９】
本発明は、このような問題を解決するために成されたものであり、煩わしいユーザ操作を行うことなく、目的地案内中の誘導経路をユーザ好みの誘導経路に簡単な操作で変更できるようにすることを目的とする。
【課題を解決するための手段】
【００１０】
上記した課題を解決するために、本発明では、車両の現在地から目的地に至る誘導経路の案内中、当該現在地より前方に存在する複数の道路区間の渋滞状況を現在地から近い順に配置した渋滞ガイド図画像を地図画像と共に表示する。そして、地図画像および渋滞ガイド図画像が表示されているときにタッチパネルに対するユーザのなぞり操作に基づいて、探索条件を変更して設定する対象の対象道路区間と当該対象道路区間における探索条件とを設定し、その対象道路区間に設定した探索条件に従って対象道路区間の探索条件を変更したうえで、現在地から目的地に至る第２の誘導経路の探索を行うようにしている。
例えば、渋滞ガイド図画像上に表示する複数の道路区間は、誘導経路に含まれる高速道路上の複数のインターチェンジ間の道路区間であり、複数のインターチェンジのうち、なぞり操作の始点および終点によって２つのインターチェンジが指定された場合、当該指定された２つのインターチェンジ間の道路区間を対象道路区間として決定するとともに、当該決定した対象道路区間における探索条件を一般道路優先に設定し、当該設定された探索条件に従って対象道路区間の探索条件を高速道路優先から一般道路優先に変更したうえで、現在地から目的地に至る第２の誘導経路の探索を行う。
【発明の効果】
【００１１】
上記のように構成した本発明によれば、ユーザはタッチパネルに対する簡単な操作を行うだけで、探索条件の変更や、その変更した探索条件を適用する道路区間の設定が自動的に行われる。よって、従来の誘導経路変更機能のように煩わしいユーザ操作を行うことなく、ユーザ好みの誘導経路を探索することができ、目的地案内中の誘導経路を簡単な操作で当該ユーザ好みの誘導経路に変更することができる。
【図面の簡単な説明】
【００１２】
【図１】第１の実施形態によるナビゲーション装置の機能構成例を示すブロック図である。
【図２】第１の実施形態によるタッチパネルに対するなぞり操作の例を示す図である。
【図３】第１の実施形態によるナビゲーション装置の動作例を示すフローチャートである。
【図４】第２の実施形態によるナビゲーション装置の機能構成例を示すブロック図である。
【図５】第２の実施形態による高速ガイド画像の生成処理の例を示す図である。
【図６】第２の実施形態によるタッチパネルに対するなぞり操作の例を示す図である。
【図７】第２の実施形態によるナビゲーション装置の動作例を示すフローチャートである。
【図８】第２の実施形態によるナビゲーション装置の機能構成の変形例を示すブロック図である。
【図９】第１および第２の実施形態による高速ガイド画像の変形例を示す図である。
【発明を実施するための形態】
【００１３】
以下、本発明の第１の実施形態を図面に基づいて説明する。図１は、第１の実施形態によるナビゲーション装置１００の構成例を示すブロック図である。図１において、１１はＤＶＤ−ＲＯＭ等の記録媒体であり、地図表示や経路探索等に必要な各種の地図データを記憶している。ＤＶＤ−ＲＯＭ１１に記録された地図データは、広い地域を一望するための上位レベルの地図（縮尺の小さい地図）から、狭い地域を詳細に記述した下位レベルの地図（縮尺の大きい地図）まで、レベルと呼ばれる単位に階層化して管理されている。各レベルの地図データには、地図表示に必要な描画ユニットのデータ（地図上に存在する道路や建物、施設に関する各種のデータ）の他に、マップマッチングや経路探索等の各種の処理に必要な道路ユニットのデータが含まれている。なお、ここでは地図データや施設情報を記憶する記録媒体としてＤＶＤ−ＲＯＭ１１を用いているが、ＣＤ−ＲＯＭ、ハードディスク、半導体メモリ等の他の記録媒体を用いても良い。
【００１４】
１２は車両の現在位置を所定間隔毎に検出する車両位置検出部であり、自立航法センサ、ＧＰＳ受信機、位置計算用ＣＰＵ等で構成されている。自立航法センサは、所定走行距離毎に１個のパルスを出力して車両の移動距離を検出する車速センサ（距離センサ）と、車両の回転角度（移動方位）を検出する振動ジャイロ等の角速度センサ（相対方位センサ）とを含む。自立航法センサは、これらの車速センサおよび角速度センサによって車両の相対位置および方位を検出する。
【００１５】
位置計算用ＣＰＵは、自立航法センサから出力される自車両の相対的な位置および方位のデータに基づいて、絶対的な自車装置（推定車両位置）および車両方位を計算する。また、ＧＰＳ受信機は、複数のＧＰＳ衛星から送られてくる電波をＧＰＳアンテナで受信して、３次元測位処理あるいは２次元測位処理を行って車両の絶対位置および方位を計算する（車両方位は、現時点における自車位置と１サンプリング時間ΔＴ前の自車位置とに基づいて計算する）。
【００１６】
１３は地図データ記憶部であり、ＤＶＤ−ＲＯＭ制御部１４の制御によってＤＶＤ−ＲＯＭ１１から読み出された地図データを一時的に格納する。ＤＶＤ−ＲＯＭ制御部１４は、ＤＶＤ−ＲＯＭ１１からの地図データの読み出しを制御する。すなわち、ＤＶＤ−ＲＯＭ制御部１４は、車両位置検出部１２から車両現在位置の情報を入力し、その車両現在位置を含む所定範囲の地図データの読み出し指示を出力することにより、地図表示や誘導経路の探索に必要な地図データをＤＶＤ−ＲＯＭ１１から読み出して地図データ記憶部１３に格納する。
【００１７】
１５はディスプレイであり、表示パネル１５ａおよびタッチパネル１５ｂを備えている。表示パネル１５ａは、地図表示制御部１６から出力されたデータに基づき地図画像を表示する。また、表示パネル１５ａは、車両の現在地から目的地に至る誘導経路の案内中、地図表示制御部１６から出力されたデータに基づき地図画像を表示すると共に、誘導経路案内部２２から出力されたデータに基づき誘導経路画像を表示する。また、表示パネル１５ａは、誘導経路に高速道路が含まれる場合、高速を走行中はガイド画像表示制御部１７から出力されたデータに基づき高速ガイド画像（本発明の渋滞ガイド図画像に相当）を表示する。
【００１８】
タッチパネル１５ｂは、表示パネル１５ａの前面に重ね合わされ、ユーザによるタッチ操作やなぞり操作を検出する。ここで、なぞり操作とは、ユーザがタッチパネル１５ｂにタッチしたままタッチ位置を移動する操作である。
【００１９】
１８は操作受付部であり、タッチパネル１５ｂに対するユーザの操作を受け付ける。例えば、操作受付部１８は、誘導経路の目的地を設定する操作を受け付ける。この目的地の設定に関しては、地図画像をスクロールさせて所望の地点に合わせたカーソル位置を目的地に設定したり、メニュー画面から施設名や地点名、電話番号、住所、郵便番号などのキーワードを入力して検索した地点を目的地に設定したりすることが可能である。そして、操作受付部１８は、受け付けた操作に応じて設定された目的地を示す目的地情報を誘導経路探索部１９に出力する。
【００２０】
また、操作受付部１８は、表示パネル１５ａに地図画像および高速ガイド画像が表示されているとき（すなわち、高速道路上で誘導経路の案内中）にタッチパネル１５ｂに対するユーザの操作を受け付ける。具体的には、操作受付部１８は、高速ガイド画像にインフォメーション情報として表示されている何れか１つまたは２つのインターチェンジを指定して道路区間を特定するためのなぞり操作を受け付ける。そして、操作受付部１８は、受け付けたなぞり操作の内容（どのインターチェンジが指定されたかを示すインターチェンジ情報）を探索条件設定部２０に出力する。
【００２１】
図２は、第１の実施形態によるタッチパネルに対するなぞり操作の例を示す図である。図２において、左右２画面表示の左側の画面には、地図表示制御部１６から出力された地図画像データに基づいて、自車位置周辺の地図画像が表示されている。この地図画像において、１２０は車両位置マークであり、１４０は誘導経路に含まれる走行中の高速道路である。
【００２２】
右側の画面には、ガイド画像表示制御部１７から出力された高速ガイド画像データに基づいて、高速ガイド画像が表示されている。この高速ガイド画像において、２００，２２０，２４０は、誘導経路に含まれる高速道路上の複数のインターチェンジやジャンクション（以下、これらをまとめて単にインターチェンジという）のうち、現在地から近い順に配置した地点名称表示領域である。地点名称表示領域２００には、車両位置から一番近いインターチェンジの名称（図２の例では、「八潮南」）、通過予定時刻、現在地からの距離がインフォメーション情報として表示されている。地点名称表示領域２２０には、車両位置から二番目に近いインターチェンジの名称（図２の例では、「加平」）、通過予定時刻、現在地からの距離がインフォメーション情報として表示されている。地点名称表示領域２４０には、車両位置から三番目に近いインターチェンジの名称（図２の例では、「小菅」）、通過予定時刻、現在地からの距離がインフォメーション情報として表示されている。
【００２３】
また、高速ガイド画像において、２６０は渋滞状況表示領域であり、現在地から八潮南インターチェンジまでの道路区間の渋滞状況（図２の例では、「順調」）を示している。２８０は渋滞状況表示領域であり、八潮南インターチェンジから加平インターチェンジまでの道路区間の渋滞状況（図２の例では、「渋滞」）を示している。３００は渋滞状況表示領域であり、加平インターチェンジから小菅インターチェンジまでの道路区間の渋滞状況（図２の例では、「順調」）を示している。
【００２４】
図２（ａ）は、ユーザの指３２０での図中矢印の流れに従ったなぞり操作によって、誘導経路に含まれる高速道路１４０上の２つのインターチェンジ（図２（ａ）の例では、八潮南インターチェンジおよび加平インターチェンジ）を指定してその間の道路区間を特定した様子を示している。ユーザが、図２（ａ）に示すなぞり操作を行う状況としては、八潮南インターチェンジから加平インターチェンジまでの道路区間が渋滞しているため、八潮南インターチェンジで高速道路を一旦降りて、加平インターチェンジで再び高速道路に乗りたいときである。この場合、操作受付部１８は、受け付けたなぞり操作によって指定された２つのインターチェンジを示すインターチェンジ情報を探索条件設定部２０に出力する。
【００２５】
図２（ｂ）は、ユーザの指３２０での図中矢印の流れに従ったなぞり操作によって、誘導経路に含まれる高速道路１４０上の１つのインターチェンジ（図２（ａ）の例では、八潮南インターチェンジ）を指定してそこから目的地までの道路区間を特定した様子を示している。ユーザが、図２（ｂ）に示すなぞり操作を行う状況としては、八潮南インターチェンジから加平インターチェンジまでの道路区間が渋滞しているため、八潮南インターチェンジで高速道路を降りて、一般道路を走行して目的地を目指したいときである。この場合、操作受付部１８は、受け付けたなぞり操作によって指定された１つのインターチェンジを示すインターチェンジ情報を探索条件設定部２０に出力する。
【００２６】
探索条件設定部２０は、操作受付部１８からインターチェンジ情報が出力された場合、当該インターチェンジ情報により示されるインターチェンジが２つのとき、当該指定された２つのインターチェンジ間の道路区間を、探索条件を変更して設定する対象の道路区間である対象道路区間として決定するとともに、当該決定した対象道路区間における探索条件を一般道路優先に設定する。そして、探索条件設定部２０は、設定した対象道路区間と当該対象道路区間における探索条件とを示す探索条件情報を誘導経路探索部１９に出力する。
【００２７】
また、探索条件設定部２０は、操作受付部１８からインターチェンジ情報が出力された場合、当該インターチェンジ情報により示されるインターチェンジが１つのとき、当該指定されたインターチェンジから目的地までの道路区間を対象道路区間として決定するとともに、当該決定した対象道路区間における探索条件を一般道路優先に設定する。そして、探索条件設定部２０は、設定した対象道路区間と当該対象道路区間における探索条件とを示す探索条件情報を誘導経路探索部１９に出力する。
【００２８】
誘導経路探索部１９は、車両位置検出部１２により検出された自車位置情報と地図データ記憶部１３に記憶されている地図データとに基づいて、当該自車位置情報により示される自車位置から操作検出部１８から出力された目的地情報により示される目的地までの誘導経路を探索する。また、誘導経路探索部１９は、探索条件設定部２０から探索条件情報が出力された場合、その探索条件情報により示される探索条件に従って対象道路区間の探索条件を変更した上で（対象道路区間以外は元の探索条件のままとする）、自車位置から目的地までの第２の誘導経路を探索する。
【００２９】
２１は誘導経路メモリであり、誘導経路探索部１９により誘導経路が探索された場合、その探索された誘導経路のデータ（現在位置から目的地に至るまでのノードの集合）を誘導経路情報として一時的に格納する。また、誘導経路メモリ２１は、誘導経路探索部１９により第２の誘導経路が探索された場合、その探索された第２の誘導経路のデータ（現在位置から目的地に至るまでのノードの集合）を第２の誘導経路情報として一時的に格納する。
【００３０】
地図表示制御部１６は、車両位置検出部１２により検出された自車位置情報と、地図データ記憶部１３に記憶されている地図データとに基づいて自車位置周辺の地図画像データを生成する。そして、地図表示制御部１６は、生成した地図画像データをディスプレイ１５の表示パネル１５ａに出力する。
【００３１】
誘導経路案内部２２は、車両位置検出部１２により検出された自車位置情報と、地図データ記憶部１３に記憶されている地図データと、誘導経路メモリ２１に格納された誘導経路情報とに基づいて誘導経路案内を行う。具体的には、誘導経路案内部２２は、地図表示制御部１６により生成された地図画像に重ねて誘導経路を他の道路とは異なる色で太く表示することにより、誘導経路の目的地までの走行案内を行う。
【００３２】
また、誘導経路案内部２２は、誘導経路探索部１９により第２の誘導経路が探索された場合、車両位置検出部１２により検出された自車位置情報と、地図データ記憶部１３に記憶されている地図データと、誘導経路メモリ２１に格納された第２の誘導経路情報とに基づいて誘導経路案内を行う。具体的には、誘導経路案内部２２は、地図表示制御部１６により生成された地図画像に重ねて第２の誘導経路を他の道路とは異なる色で太く表示することにより、第２の誘導経路の目的地までの走行案内を行う。
【００３３】
２３は渋滞情報取得部であり、主に高速道路上に設置された電波ビーコン送受信機との間で電波を介して双方向通信を行うとともに、主に一般道路上に設置された光ビーコン送受信機との間で光を介して双方向通信を行うことにより、道路交通情報センタ（図示せず）からＶＩＣＳ情報（渋滞情報や規制情報といった道路交通情報。ＶＩＣＳは登録商標）を取得する。そして、渋滞情報取得部２３は、道路交通情報センタから取得したＶＩＣＳ情報に含まれている渋滞情報をガイド画像生成部２４に出力する。
【００３４】
ここで、ＶＩＣＳ情報に含まれる渋滞情報は、あるＶＩＣＳリンクの特定箇所における混雑の度合いを示すものであり、ＶＩＣＳリンクＩＤ、渋滞の長さ、混雑の度合い等の情報を含んでいる。ＶＩＣＳリンクＩＤは、その道路に対応したリンク番号を示す。渋滞の長さは、渋滞の開始点（ＶＩＣＳリンクの一方端）からの距離を示す。混雑の度合いは、例えば車両が順調に走行できる「順調」と、車両が一定の速度以下になる「混雑」と、ほとんど車両が動かなくなる「渋滞」との３種類の状態を特定する。
【００３５】
ガイド画像生成部２４は、車両位置検出部１２により検出された自車位置情報と誘導経路メモリ２１に格納された誘導経路情報とに基づいて、誘導経路上の高速道路を走行中か否かを判定する。ガイド画像生成部２４は、誘導経路上の高速道路を走行中であると判定した場合、車両位置検出部１２により検出された自車位置情報、地図データ記憶部１３に記憶されている地図データ、誘導経路メモリ２１に格納された第２の誘導経路情報、渋滞情報取得部２３から出力された渋滞情報に基づいて、現在地より前方に存在する複数の道路区間（本実施形態では、誘導経路に含まれる高速道路上の複数のインターチェンジ間の道路区間）の渋滞状況を現在地から近い順に配置した高速ガイド画像データを生成する。ガイド画像表示制御部１７は、ガイド画像生成部２４により生成された高速ガイド画像データをディスプレイ１５の表示パネル１５ａに出力する。なお、地図表示制御部１６およびガイド画像表示制御部１７は、本発明の表示制御部に対応する。
【００３６】
次に、第１の実施形態におけるナビゲーション装置１００の動作について説明する。図３は、自車両が目的地へ向かって誘導経路上の高速道路を走行している場合におけるナビゲーション装置１００の動作例を示すフローチャートである。
【００３７】
まず、渋滞情報取得部２３は、道路交通情報センタ（図示せず）からＶＩＣＳ情報を取得する（ステップＳ１００）。そして、渋滞情報取得部２３は、道路交通情報センタから取得したＶＩＣＳ情報に含まれている渋滞情報をガイド画像生成部２４に出力する。
【００３８】
次に、ガイド画像生成部２４は、車両位置検出部１２により検出された自車位置情報と地図データ記憶部１３に記憶されている地図データと誘導経路メモリ２１に格納された第２の誘導経路情報と渋滞情報取得部２３から出力された渋滞情報とに基づいて、高速ガイド画像データを生成する（ステップＳ１２０）。そして、ガイド画像表示制御部１７は、ガイド画像生成部２４により生成された高速ガイド画像データをディスプレイ１５に出力し、高速ガイド画像を表示パネル１５ａに表示させる（ステップＳ１４０）。
【００３９】
次に、地図表示制御部１６は、車両位置検出部１２により検出された自車位置情報と地図データ記憶部１３に記憶されている地図データとに基づいて、自車位置周辺の地図画像データを生成する（ステップＳ１６０）。そして、地図表示制御部１６は、生成した地図画像データをディスプレイ１５に出力し、地図画像を表示パネル１５aに表示させる（ステップＳ１８０）。
【００４０】
次に、操作受付部１８は、タッチパネル１５ｂに対するユーザの操作が行われたか否かについて判定する（ステップＳ２００）。もし、タッチパネル１５ｂに対するユーザの操作が行われていないと操作受付部１８にて判定した場合（ステップＳ２００にてＮＯ）、処理はステップＳ１００に遷移する。一方、タッチパネル１５ｂに対するユーザの操作が行われたと操作受付部１８にて判定した場合（ステップＳ２００にてＹＥＳ）、操作受付部１８は、そのタッチパネル１５ｂに対するユーザのなぞり操作によって指定されたインターチェンジを示すインターチェンジ情報を探索条件設定部２０に出力する（ステップＳ２２０）。
【００４１】
次に、探索条件設定部２０は、操作受付部１８から出力されたインターチェンジ情報により示されるインターチェンジが１つであるか否かについて判定する（ステップＳ２４０）。もし、インターチェンジ情報により示されるインターチェンジが１つであると探索条件設定部２０にて判定した場合（ステップＳ２４０にてＹＥＳ）、探索条件設定部２０は、指定されたインターチェンジから目的地までの道路区間を対象道路区間として決定するとともに、当該決定した対象道路区間における探索条件を一般道路優先に設定する（ステップＳ２６０）。そして、探索条件設定部２０は、設定した対象道路区間と当該対象道路区間における探索条件とを示す探索条件情報を誘導経路探索部１９に出力する。その後、処理はステップＳ３２０に遷移する。
【００４２】
一方、インターチェンジ情報により示されるインターチェンジが１つでないと探索条件設定部２０にて判定した場合（ステップＳ２４０にてＮＯ）、探索条件設定部２０は、インターチェンジ情報により示されるインターチェンジが２つであるか否かについて判定する（ステップＳ２８０）。もし、インターチェンジ情報により示されるインターチェンジが２つであると探索条件設定部２０にて判定した場合（ステップＳ２８０にてＹＥＳ）、探索条件設定部２０は、指定された２つのインターチェンジ間の道路区間を対象道路区間として決定するとともに、当該決定した対象道路区間における探索条件を一般道路優先に設定する（ステップＳ３００）。そして、探索条件設定部２０は、設定した対象道路区間と当該対象道路区間における探索条件とを示す探索条件情報を誘導経路探索部１９に出力する。その後、処理はステップＳ３２０に遷移する。
【００４３】
一方、インターチェンジ情報により示されるインターチェンジが２つでないと探索条件設定部２０にて判定した場合（ステップＳ２８０にてＮＯ）、処理はステップＳ１００に遷移する。ステップＳ３２０では、誘導経路探索部１９は、探索条件設定部２０から出力された探索条件情報により示される探索条件に従って対象道路区間の探索条件を変更し、自車位置から目的地までの第２の誘導経路を探索する（ステップＳ３２０）。最後に、誘導経路案内部２２は、車両位置検出部１２により検出された自車位置情報と、地図データ記憶部１３に記憶されている地図データと、誘導経路メモリ２１に格納された第２の誘導経路情報とに基づいて、第２の誘導経路の案内を開始する（ステップＳ３４０）。ステップＳ３４０の処理が完了することによって、ナビゲーション装置１００は、図３における処理を終了する。
【００４４】
以上詳しく説明したように、第１の実施形態では、車両の現在地から目的地に至る誘導経路に含まれる高速道路の案内中、当該現在地より前方に存在する複数のインターチェンジ間の道路区間の渋滞状況を現在地から近い順に配置した高速ガイド画像を地図画像と共に表示する。そして、地図画像および高速ガイド画像が表示されているときに行われたタッチパネル１５ｂに対するユーザのなぞり操作に基づいて、現在地から目的地に至る第２の誘導経路の探索を行う際に使用する探索条件を設定する対象の対象道路区間における探索条件を設定し、その設定した探索条件に従って第２の誘導経路の探索を行うようにしている。
【００４５】
このように構成した第１の実施形態によれば、ユーザは高速道路の走行中に自動的に表示される高速ガイド画像を見ながらタッチパネル１５ｂに対する簡単な操作（インターチェンジを指定するなぞり操作）を行うだけで、探索条件の変更や、その変更した探索条件を適用する道路区間の設定が自動的に行われる。よって、従来の誘導経路変更機能のように煩わしいユーザ操作を行うことなく、ユーザ好みの誘導経路を探索することができ、目的地案内中の誘導経路を簡単な操作でユーザ好みの誘導経路に変更することができる。
【００４６】
次に、本発明の第２の実施形態を図面に基づいて説明する。図４は、第２の実施形態によるナビゲーション装置１００′の構成例を示すブロック図である。図４に示すように、ナビゲーション装置１００′は、その機能構成として、図１の操作受付部１８、探索条件設定部２０およびガイド画像生成部２４の代わりに、操作受付部１８′、探索条件設定部２０′およびガイド画像生成部２４′をそれぞれ備えている。なお、この図４において、図１に示した符号と同一の符号を付したものは同一の機能を有するものであるので、ここでは重複する説明を省略する。
【００４７】
操作受付部１８′は、タッチパネル１５ｂに対するユーザの操作を受け付ける。例えば、操作受付部１８′は、誘導経路の目的地を設定する操作を受け付ける。そして、操作受付部１８′は、受け付けた操作に応じて設定された目的地を示す目的地情報を誘導経路探索部１９に出力する。
【００４８】
また、操作受付部１８′は、一般道路上で誘導経路の案内中に、複数の高速道路の中から何れかの高速道路を選択する操作を受け付ける。具体的には、操作受付部１８′は、ユーザの要求（高速道路の選択要求を行う操作）に応じて複数の高速道路の一覧が表示画面に表示された状態で、タッチパネル１５ｂに対するユーザの操作によって何れかの高速道路を選択する操作を受け付ける。そして、操作受付部１８′は、受け付けた操作によって選択された高速道路を示す高速道路情報をガイド画像生成部２４′に出力する。高速道路情報がガイド画像生成部２４′に出力されると、後述するように高速ガイド画像が表示パネル１５ａに表示される。なお、操作受付部１８′は、本発明の高速道路選択操作受付部に対応する。
【００４９】
また、操作受付部１８′は、表示パネル１５ａに地図画像および高速ガイド画像が表示されているときにタッチパネル１５ｂに対するユーザの操作を受け付ける。具体的には、操作受付部１８′は、高速ガイド画像にインフォメーション情報として表示されている何れか１つまたは２つのインターチェンジを指定して道路区間を特定するためのなぞり操作を受け付ける。そして、操作受付部１８′は、受け付けたなぞり操作の内容（どのインターチェンジが指定されたかを示すインターチェンジ情報）を探索条件設定部２０′に出力する。
【００５０】
ガイド画像生成部２４′は、操作受付部１８′から高速道路情報が出力された場合、車両位置検出部１２により検出された自車位置情報と地図データ記憶部１３に記憶されている地図データと渋滞情報取得部２３により取得された渋滞情報とに基づいて、現在地より前方に存在する複数の道路区間（本実施形態では、高速道路情報により示される高速道路上の複数のインターチェンジ間の道路区間）の渋滞状況を現在地から近い順に配置した高速ガイド画像データを生成する。そして、ガイド画像表示制御部１７は、ガイド画像生成部２４′により生成された高速ガイド画像データをディスプレイ１５に出力し、高速ガイド画像を表示パネル１５ａに表示させる。
【００５１】
次に、ガイド画像生成部２４′による高速ガイド画像の生成処理の例について説明する。図５は、第２の実施形態による高速ガイド画像の生成処理の例を示す図である。図５（ａ）は、車両の現在地から目的地に至る誘導経路と操作受付部１８′から出力された高速道路情報により示される高速道路との位置関係を示す図である。図５（ｂ）は、図５（ａ）に示す位置関係から、ガイド画像生成部２４′が生成する高速ガイド画像の例を示す図である。
【００５２】
図５（ａ）において、４００は車両の現在地である。４２０は車両の現在地４００から目的地（図示せず）に至る誘導経路である。４４０は操作受付部１８′から出力された高速道路情報により示される高速道路である。ガイド画像生成部２４′は、車両位置検出部１２により検出された自車位置情報と地図データ記憶部１３に記憶されている地図データとに基づいて、高速道路４４０のインターチェンジのうち現在地から最も近いインターチェンジを検索する。図５（ａ）の例では、ガイド画像生成部２４′は、高速道路４４０のインターチェンジ（インターチェンジ４６０（ＩＣ１）、インターチェンジ４８０（ＩＣ２）など）のうち現在地から最も近いインターチェンジ４６０（ＩＣ１）を検索する。
【００５３】
この検索結果に基づいて、ガイド画像生成部２４′は、現在地から最も近いインターチェンジ４６０（ＩＣ１）より前方に存在する高速道路上の複数のインターチェンジ間の道路区間（図５の例では、インターチェンジ４６０（ＩＣ１）からインターチェンジ４８０（ＩＣ２）までの道路区間５２０、インターチェンジ４８０（ＩＣ２）からインターチェンジ５００（ＩＣ３）までの道路区間５４０）の渋滞状況を現在地から近い順に配置した高速ガイド画像データを生成する。
【００５４】
探索条件設定部２０′は、操作受付部１８′からインターチェンジ情報が出力された場合、当該インターチェンジ情報により示されるインターチェンジが２つのとき、当該指定された２つのインターチェンジ間の道路区間を対象道路区間として決定するとともに、当該対象道路区間における探索条件を高速道路優先に設定する。そして、探索条件設定部２０′は、設定した対象道路区間と当該対象道路区間における探索条件とを示す探索条件情報を誘導経路探索部１９に出力する。
【００５５】
また、探索条件設定部２０′は、操作受付部１８′からインターチェンジ情報が出力された場合、当該インターチェンジ情報により示されるインターチェンジが１つのとき、当該指定されたインターチェンジから目的地までの道路区間を対象道路区間として決定するとともに、当該決定した対象道路区間における探索条件を高速道路優先に設定する。そして、探索条件設定部２０′は、設定した対象道路区間と当該対象道路区間における探索条件とを示す探索条件情報を誘導経路探索部１９に出力する。
【００５６】
図６は、第２の実施形態によるタッチパネルに対するなぞり操作の例を示す図である。図６において、左右２画面表示の左側の画面には、地図表示制御部１６から出力された地図画像データに基づいて、自車位置周辺の地図画像が表示されている。この地図画像において、６００は車両位置マークであり、６２０は誘導経路に含まれる走行中の一般道路である。
【００５７】
右側の画面には、ガイド画像表示制御部１７から出力された高速ガイド画像データに基づいて、高速ガイド画像が表示されている。この高速ガイド画像において、６４０，６６０，６８０は、操作受付部１８′により受け付けられた操作によって選択された高速道路上の複数のインターチェンジのうち、現在地から近い順に配置した地点名称表示領域である。地点名称表示領域６４０には、車両位置から一番近いインターチェンジの名称（「八潮南」）、通過予定時刻、現在地からの距離がインフォメーション情報として表示されている。地点名称表示枠６６０には、車両位置から二番目に近いインターチェンジの名称（「加平」）、通過予定時刻、現在地からの距離がインフォメーション情報として表示されている。地点名称表示領域６８０には、車両位置から三番目に近いインターチェンジの名称（「小菅」）、通過予定時刻、現在地からの距離がインフォメーション情報として表示されている。
【００５８】
また、高速ガイド画像において、７００は渋滞状況表示領域であり、八潮南インターチェンジより１つ手前のインターチェンジから八潮南インターチェンジまでの道路区間の渋滞状況（図６（ａ）の例では、「順調」）を示している。７２０は渋滞状況表示領域であり、八潮南インターチェンジから加平インターチェンジまでの道路区間の渋滞状況（図６（ａ）の例では、「渋滞」）を示している。７４０は渋滞状況表示領域であり、加平インターチェンジから小菅インターチェンジまでの道路区間の渋滞状況（図６（ａ）の例では、「順調」）を示している。
【００５９】
図６（ａ）は、ユーザの指７６０での図中矢印の流れに従ったなぞり操作によって、操作受付部１８′により受け付けられた操作によって選択された高速道路上の１つのインターチェンジ（「加平」）を指定してそこから目的地までの道路区間を特定した様子を示している。ユーザが、図６（ａ）に示すなぞり操作を行う状況としては、誘導経路に含まれる前方の一般道路の道路区間が渋滞しているため、その道路区間を迂回するためにユーザが所望する高速道路に乗り、乗ったついでにそのまま高速道路を走行して目的地を目指したいときである。この場合、操作受付部１８′は、受け付けたなぞり操作によって指定された１つのインターチェンジを示すインターチェンジ情報を探索条件設定部２０′に出力する。
【００６０】
図６（ｂ）において、左右２画面表示の左側の画面には、地図表示制御部１６から出力された地図画像データに基づいて、自車位置周辺の地図画像が表示されている。この地図画像において、８００は車両位置マークであり、８２０は誘導経路に含まれる走行中の一般道路である。
【００６１】
右側の画面には、ガイド画像表示制御部１７から出力された高速ガイド画像データに基づいて、高速ガイド画像が表示されている。この高速ガイド図画像において、８４０，８６０，８８０は、操作受付部１８′により受け付けられた操作によって選択された高速道路上の複数のインターチェンジのうち、現在地から近い順に配置した地点名称表示領域である。地点名称表示領域８４０には、車両位置から一番近いインターチェンジの名称（「江戸橋」）、通過予定時刻、現在地からの距離がインフォメーション情報として表示されている。地点名称表示領域８６０には、車両位置から二番目に近いインターチェンジの名称（「宝町」）、通過予定時刻、現在地からの距離がインフォメーション情報として表示されている。地点名称表示領域８８０には、車両位置から三番目に近いインターチェンジの名称（「京橋」）、通過予定時刻、現在地からの距離がインフォメーション情報として表示されている。
【００６２】
また、高速ガイド図画像において、９００は渋滞状況表示領域であり、江戸橋インターチェンジより１つ手前のインターチェンジから江戸橋インターチェンジまでの道路区間の渋滞状況（図６（ｂ）の例では、「順調」）を示している。９２０は渋滞状況表示領域であり、江戸橋インターチェンジから宝町インターチェンジまでの道路区間の渋滞状況（図６（ｂ）の例では、「順調」）を示している。９４０は渋滞状況表示領域であり、宝町インターチェンジから京橋インターチェンジまでの道路区間の渋滞状況（図６（ｂ）の例では、「順調」）を示している。
【００６３】
図６（ｂ）は、ユーザの指９６０での図中矢印の流れに従ったなぞり操作によって、操作受付部１８′により受け付けられた操作によって選択された高速道路上の２つのインターチェンジ（「江戸橋」および「京橋」）を指定してその間の道路区間を特定した様子を示している。ユーザが、図６（ｂ）に示すなぞり操作を行う状況としては、誘導経路に含まれる前方の一般道路の道路区間が渋滞しているため、その道路区間を迂回するためにユーザが所望する高速道路に乗って当該渋滞区間の先に出たいときである。この場合、操作受付部１８′は、受け付けたなぞり操作によって指定された２つのインターチェンジを示すインターチェンジ情報を探索条件設定部２０′に出力する。
【００６４】
次に、第２の実施形態におけるナビゲーション装置１００′の動作について説明する。図７は、自車両が目的地へ向かって誘導経路上の一般道路を走行している場合におけるナビゲーション装置１００′の動作例を示すフローチャートである。
【００６５】
まず、操作受付部１８′は、一般道路上で誘導経路の案内中に、複数の高速道路の中から何れかの高速道路を選択する操作を受け付ける（ステップＳ４００）。そして、操作受付部１８′は、受け付けた操作によって選択された高速道路を示す高速道路情報をガイド画像生成部２４′に出力する。
【００６６】
次に、渋滞情報取得部２３は、道路交通情報センタ（図示せず）からＶＩＣＳ情報を取得する（ステップＳ４２０）。そして、渋滞情報取得部２３は、道路交通情報センタから取得したＶＩＣＳ情報に含まれている渋滞情報をガイド画像生成部２４′に出力する。
【００６７】
次に、ガイド画像生成部２４′は、車両位置検出部１２により検出された自車位置情報と地図データ記憶部１３に記憶されている地図データと渋滞情報取得部２３により取得された渋滞情報とに基づいて、ステップＳ４００で選択された高速道路の高速ガイド画像データを生成する（ステップＳ４４０）。そして、ガイド画像表示制御部１７は、ガイド画像生成部２４′により生成された高速ガイド画像データをディスプレイ１５に出力し、高速ガイド画像を表示パネル１５ａに表示させる（ステップＳ４６０）。
【００６８】
次に、地図表示制御部１６は、車両位置検出部１２により検出された自車位置情報と地図データ記憶部１３に記憶されている地図データとに基づいて、自車位置周辺の地図画像データを生成する（ステップＳ４８０）。そして、地図表示制御部１６は、生成した地図画像データをディスプレイ１５に出力し、地図画像を表示パネル１５aに表示させる（ステップＳ５００）。
【００６９】
次に、操作受付部１８′は、タッチパネル１５ｂに対するユーザの操作が行われたか否かについて判定する（ステップＳ５２０）。もし、タッチパネル１５ｂに対するユーザの操作が行われていないと操作受付部１８′にて判定した場合（ステップＳ５２０にてＮＯ）、ステップＳ５２０の判定を継続して行う。一方、タッチパネル１５ｂに対するユーザの操作が行われたと操作受付部１８′にて判定した場合（ステップＳ５２０にてＹＥＳ）、操作受付部１８′は、そのタッチパネル１５ｂに対するユーザのなぞり操作によって指定されたインターチェンジを示すインターチェンジ情報を探索条件設定部２０′に出力する（ステップＳ５４０）。
【００７０】
次に、探索条件設定部２０′は、操作受付部１８′から出力されたインターチェンジ情報により示されるインターチェンジが１つであるか否かについて判定する（ステップＳ５６０）。もし、インターチェンジ情報により示されるインターチェンジが１つであると探索条件設定部２０′にて判定した場合（ステップＳ５６０にてＹＥＳ）、探索条件設定部２０′は、インターチェンジ情報により示されるインターチェンジから目的地までの道路区間を対象道路区間として決定するとともに、当該決定した対象道路区間における探索条件を高速道路優先に設定する（ステップＳ５８０）。そして、探索条件設定部２０′は、設定した対象道路区間と当該対象道路区間における探索条件とを示す探索条件情報を誘導経路探索部１９に出力する。その後、処理はステップＳ６４０に遷移する。
【００７１】
一方、インターチェンジ情報により示されるインターチェンジが１つでないと探索条件設定部２０′にて判定した場合（ステップＳ５６０にてＮＯ）、探索条件設定部２０′は、当該インターチェンジ情報により示されるインターチェンジが２つであるか否かについて判定する（ステップＳ６００）。もし、インターチェンジ情報により示されるインターチェンジが２つであると探索条件設定部２０′にて判定した場合（ステップＳ６００にてＹＥＳ）、探索条件設定部２０′は、当該２つのインターチェンジ間の道路区間を対象道路区間として決定するとともに、当該対象道路区間における探索条件を高速道路優先に設定する（ステップＳ６２０）。そして、探索条件設定部２０′は、設定した対象道路区間と当該対象道路区間における探索条件とを示す探索条件情報を誘導経路探索部１９に出力する。その後、処理はステップＳ６４０に遷移する。
【００７２】
一方、インターチェンジ情報により示されるインターチェンジが２つでないと探索条件設定部２０′にて判定した場合（ステップＳ６００にてＮＯ）、エラーメッセージ等を出力した後、処理はステップＳ５２０に遷移する。ステップＳ６４０では、誘導経路探索部１９は、探索条件設定部２０′から出力された探索条件情報により示される探索条件に従って対象道路区間の探索条件を変更し、自車位置から目的地までの第２の誘導経路を探索する（ステップＳ６４０）。最後に、誘導経路案内部２２は、車両位置検出部１２により検出された自車位置情報と地図データ記憶部１３に記憶されている地図データと誘導経路メモリ２１に格納された第２の誘導経路情報とに基づいて、第２の誘導経路の案内を開始する（ステップＳ６６０）。ステップＳ６６０の処理が完了することによって、ナビゲーション装置１００′は、図７における処理を終了する。
【００７３】
以上詳しく説明したように、第２の実施形態では、車両の現在地から目的地に至る誘導経路に含まれる一般道路の案内中、操作受付部１８′により受け付けられた操作によって選択された高速道路上の複数のインターチェンジ間の道路区間の渋滞状況を現在地から近い順に配置した高速ガイド画像を地図画像と共に表示する。そして、地図画像および高速ガイド画像が表示されているときに行われたタッチパネル１５ｂに対するユーザのなぞり操作に基づいて、現在地から目的地に至る第２の誘導経路の探索を行う際に使用する探索条件を設定する対象の対象道路区間における探索条件を設定し、その設定した探索条件に従って第２の誘導経路の探索を行うようにしている。
【００７４】
このように構成した第２の実施形態によれば、一般道路を走行中においても、ユーザはタッチパネル１５ｂに対する簡単な操作（高速道路の選択する操作およびインターチェンジを指定するなぞり操作）を行うだけで、探索条件の変更や、その変更した探索条件を適用する道路区間の設定が自動的に行われる。よって、従来の誘導経路変更機能のように煩わしいユーザ操作を行うことなく、ユーザ好みの誘導経路を探索することができ、目的地案内中の誘導経路を簡単な操作でユーザ好みの誘導経路に変更することができる。
【００７５】
なお、上記第２の実施形態では、車両の現在地から目的地に至る誘導経路に含まれる一般道路の案内中、複数の高速道路の中から何れかの高速道路を選択する操作を受け付けた場合に高速ガイド画像を表示する例について説明したが、本発明はこれに限定されない。例えば、車両の現在地から目的地に至る誘導経路に含まれる一般道路の案内中、ユーザの要求（高速ガイド画像の表示要求を行う操作）に応じて、現在地から所定距離以内に存在する高速道路のうち最も近い高速道路を地図データに基づいて検索し、検索した高速道路に関する高速ガイド画像を表示するようにしても良い。このようにすれば、ユーザがわざわざ高速道路を選択しなくても現在地から最も近い高速道路に基づく高速ガイド画像が表示されるので、車両の現在地から目的地に至る誘導経路に含まれる一般道路の案内中、当該誘導経路を変更するために高速ガイド画像を表示させるまでの手間を軽減することができる。
【００７６】
以下、この場合のナビゲーション装置１００′′の機能構成について説明する。図８は、第２の実施形態によるナビゲーション装置の機能構成の変形例を示すブロック図である。図８に示すように、ナビゲーション装置１００′′は、その機能構成として、図４に示した構成の他に高速道路検索部２５を更に備えている。また、ナビゲーション装置１００′′は、その機能構成として、図４の操作受付部１８′およびガイド画像生成部２４′の代わりに、操作受付部１８′′およびガイド画像生成部２４′′を備えている。なお、この図８において、図４に示した符号と同一の符号を付したものは同一の機能を有するものであるので、ここでは重複する説明を省略する。
【００７７】
操作受付部１８′′は、車両の現在地から目的地に至る誘導経路に含まれる一般道路の案内中、高速ガイド画像の表示を要求する操作を受け付ける。そして、操作受付部１８′′は、高速ガイド画像の表示を要求する操作を受け付けた旨を高速道路検索部２５に通知する。
【００７８】
高速道路検索部２５は、高速ガイド画像の表示を要求する操作を受け付けた旨の通知を操作受付部１８′′から受けた場合、車両位置検出部１２により検出された自車位置情報と地図データ記憶部１３に記憶されている地図データとに基づいて、現在地から所定距離（例えば、１０ｋｍ）以内に存在する高速道路のうち最も近い高速道路を検索する。そして、高速道路検索部２５は、検索した高速道路を示す高速道路情報をガイド画像生成部２４′′に出力する。
【００７９】
ガイド画像生成部２４′′は、高速道路検索部２５から高速道路情報が出力された場合、車両位置検出部１２により検出された自車位置情報と地図データ記憶部１３に記憶されている地図データと渋滞情報取得部２３により取得された渋滞情報とに基づいて、当該高速道路情報により示される高速道路上の複数のインターチェンジ間の道路区間の渋滞状況を現在地から近い順に配置した高速ガイド画像データを生成する。そして、ガイド画像表示制御部１７は、ガイド画像生成部２４′′により生成された高速ガイド画像データをディスプレイ１５に出力し、高速ガイド画像を表示パネル１５ａに表示させる。
【００８０】
また、上記第１および第２の実施形態において、操作受付部１８（１８′、１８′′）は、タッチパネル１５ｂに対するユーザの方向入力操作を受け付け、ガイド画像表示制御部１７は、操作受付部１８（１８′、１８′′）により受け付けられた方向入力操作によって指定された方向に、高速ガイド画像上に表示する複数の道路区間をスクロールさせて表示するように制御しても良い。
【００８１】
図９は、高速ガイド画像上に表示する複数のインターチェンジ間の道路区間をスクロールさせて表示する例を示す図である。図９（ａ）は、３つのインターチェンジ（ＩＣ１、ＩＣ２およびＩＣ３）間の道路区間を現在地から近い順に配置した高速ガイド画像を簡易的に示した図である。図９（ｂ）は、図９（ａ）の高速ガイド画像が表示されているときに、タッチパネル１５ｂに対するユーザの方向入力操作を受け付けた場合に表示される高速ガイド画像を示している。
【００８２】
図９（ａ）、（ｂ）に示すように、ユーザの指での図中矢印の流れに従ったタッチパネル１５ｂに対するなぞり操作によって、操作受付部１８（１８′、１８′′）は、ユーザの方向入力操作を受け付ける。この方向入力操作中、ユーザの指がインターチェンジ（ＩＣ３）より上方の位置に到達したとき、インターチェンジ間の道路区間のスクロールが自動的に開始する。その結果、図９（ｂ）に示す高速ガイド画像では、高速ガイド画像上に表示する３つのインターチェンジ（ＩＣ１、ＩＣ２およびＩＣ３）間の道路区間が方向入力操作によって指定された方向（上方向）にスクロールされて表示されている。
【００８３】
以上のように、方向入力操作によって指定された方向に、高速ガイド画像上に表示する複数の道路区間をスクロールさせて表示することにより、表示パネル１５ａに表示しきれない範囲を含めて、探索条件を変更する道路区間（図９（ａ）、（ｂ）の例では、渋滞を回避する道路区間：ＩＣ１〜ＩＣ４）の設定を行うことができる。
【００８４】
また、上記第１および第２の実施形態において、ガイド画像表示制御部１７は、渋滞情報取得部２３により取得された渋滞情報に基づいて、高速ガイド画像上に表示する複数の道路区間のうち渋滞区間内に位置する道路区間を当該渋滞区間外に位置する道路区間に比べて短く表示するように制御しても良い。なお、渋滞の終端が画面内に入るように渋滞区間を圧縮して表示するのが好ましい。この場合の例を図９（ｃ）に示す。図９（ｃ）に示すように、高速ガイド画像上において、高速道路上の５つのインターチェンジ間の道路区間のうち、渋滞区間内に位置する道路区間（ＩＣ１からＩＣ４までの道路区間）を当該渋滞区間外に位置する道路区間（ＩＣ４からＩＣ５までの道路区間）に比べて短く表示している。このようにすれば、図９（ａ）、（ｂ）のように、渋滞区間が長い場合に、スクロールしなくても、渋滞を回避するための対象道路区間を指定することができる。
【００８５】
また、上記第１および第２の実施形態では、タッチパネル１５ｂに対するユーザのなぞり操作によって対象道路区間の設定を行う例について説明したが、本発明はこれに限定されない。例えば、タッチパネル１５ｂに対するユーザのタッチする操作によって対象道路区間の設定を行うようにしても良い。具体的には、図２、６の高速ガイド画像上に表示されている何れか１つまたは２つの地点名称表示領域へのタッチ操作によって、対象道路区間の設定を行う。
【００８６】
図２（ａ）において、ユーザの指３２０での図中矢印の流れに従ったなぞり操作の代わりに、地点名称表示領域２００および地点名称表示領域２２０へのタッチ操作によって、対象道路区間の設定を行う。また、図２（ｂ）において、ユーザの指３２０での図中矢印の流れに従ったなぞり操作の代わりに、地点名称表示領域２００へのタッチ操作によって、対象道路区間の設定を行う。また、図６（ａ）において、ユーザの指７６０での図中矢印の流れに従ったなぞり操作の代わりに、地点名称表示領域６６０へのタッチ操作によって、対象道路区間の設定を行う。また、図６（ｂ）において、ユーザの指９６０での図中矢印の流れに従ったなぞり操作の代わりに、地点名称表示領域８４０および地点名称表示領域８８０へのタッチ操作によって、対象道路区間の設定を行う。
【００８７】
また、上記第１および第２の実施形態では、渋滞ガイド図画像の例として高速ガイド画像を挙げたが、本発明はこれに限定されない。例えば、現在地から目的地までの区間に存在する渋滞区間と非渋滞区間とから成る複数の道路区間の渋滞状況を棒グラフ形式で示すインジケータ画像であっても良い。この場合の例を図９（ｄ）に示す。図９（ｄ）に示すインジケータ画像は、例えば、誘導経路の案内中において地図画像画面の下方に表示するものである。
【００８８】
このインジケータ画像において、１０００は自車両の現在地、１１４０は目的地、１０２０，１０４０，１０６０，１０８０，１１００，１１２０は現在地１０００から目的地１１４０に至る誘導経路（一般道路および高速道路のいずれでも良い）を構成する道路区間である。図９（ｄ）の例では、道路区間１０２０，１０６０，１１００で渋滞が発生している。この場合、ユーザの指１１６０での図中矢印の流れに従ったなぞり操作（渋滞している道路区間１０２０を避けるように、現在地１０００から道路区間１０４０までなぞる操作）によって、探索条件設定部２０′は、道路区間１０２０を対象道路区間として決定し、当該決定した対象道路区間における探索条件（道路区間１０２０を迂回するための探索条件）を設定する。例えば、道路区間１０２０を迂回するための探索条件としては、道路区間１０２０における誘導経路のリンクコストを無限大にすることが考えられる。
【００８９】
また、上記第２の実施形態において、渋滞ガイド図画像は、誘導経路に含まれる一般道路上の複数の地点（例えば、右左折する交差点、主要道路どうしが交わる交差点など）間の道路区間の渋滞状況を現在地から近い順に配置したものであっても良い。この場合の例を図９（ｅ）に示す。図９（ｅ）に示すように、渋滞ガイド図画像上において、一般道路上の３つの地点間の道路区間の渋滞状況を現在地から近い順に配置して表示している。図９（ｅ）の例では、地点１および地点２の間の道路区間、地点２および地点３の間の道路区間で渋滞が発生している。この場合、ユーザの指１２００での図中矢印の流れに従ったなぞり操作（地点２の前後の道路区間を避けるように、地点１から地点３までなぞる操作）によって、探索条件設定部２０′は、地点１から地点３の間の道路区間を対象道路区間として決定し、当該決定した対象道路区間における探索条件（対象道路区間を迂回するための探索条件）を設定する。例えば、対象道路区間を迂回するための探索条件としては、対象道路区間における誘導経路のリンクコストを無限大にすることが考えられる。
【００９０】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００９１】
１５ｂ  タッチパネル
１６  地図表示制御部
１７，１７′，１７′′  ガイド画像表示制御部
１８，１８′，１８′′  操作受付部
１９  誘導経路探索部
２０，２０′  探索条件設定部
２３  渋滞情報取得部
２５  高速道路検索部
１００，１００′，１００′′  ナビゲーション装置
【図１】
0005561965.tif 000002
【図２】
0005561965.tif 000003
【図３】
0005561965.tif 000004
【図４】
0005561965.tif 000005
【図５】
0005561965.tif 000006
【図６】
0005561965.tif 000007
【図７】
0005561965.tif 000008
【図８】
0005561965.tif 000009
【図９】
0005561965.tif 000010